(57)【要約】【課題】使用者が１回分穿刺の場合に対して使用可能な充電状態を早期にかつ確実に知り得ることができ、１回分穿刺による体液成分測定を迅速に行うことができる体液成分測定用穿刺装置および充電方法を提供する。【解決手段】体液成分測定のために、皮膚にレーザー穿刺部ＲＳ１からのレーザー光を照射してその照射光で皮膚を１回分穿刺し体液を得るのに最低限必要かつ十分なランプ駆動用コンデンサＱＣ２の電圧に対して、その昇圧回路ＳＡ２を通じた充電をより早く完了させると同時に、その充電完了を通知部ＴＴ２により正確に使用者へ知らせる。【選択図】図２
2010017265.tif 000002
【特許請求の範囲】
【請求項１】
体液成分測定のために皮膚に光を照射することによってその照射光で皮膚を穿刺し体液を得る体液成分測定用穿刺装置であって、
装置の外部から電源を供給する第１の電源供給部と、
前記第１の電源供給部の接続先を切り替える切り替え手段と、
前記切り替え手段によって回路が繋がる第１の方路上の昇圧手段と、
前記切り替え手段によって回路が繋がる第２の方路上の充電手段と、
前記充電手段によって充電される二次電池で構成される装置駆動用の第２の電源供給部と、
前記第２の電源供給部の容量が１回穿刺分を満たす所定の電圧閾値よりも高いことを検出する電池残量検出手段と、
前記照射光の発生電力を供給するために前記切り替え手段の接続状態によって前記第１の電源供給部もしくは前記第２の電源供給部からの電荷を前記昇圧手段を通じて蓄電するコンデンサと、
前記コンデンサの電圧を検出するコンデンサ電圧検出手段と、
使用者に対して穿刺操作を補助するために装置の動作状態を通知する通知手段と、
前記電池残量検出手段および前記コンデンサ電圧検出手段からの各検出情報に基づいて、前記切り替え手段、前記昇圧手段および前記通知手段の動作を制御する制御手段とを備え、
前記制御手段は、
前記電池残量検出手段からの検出情報を基に前記第２の電源供給部の容量が前記所定の電圧閾値よりも低い状態であると判断した場合には、
前記切り替え手段によって前記第１の電源供給部と前記昇圧手段を接続し、
前記第１の電源供給部の電力によって前記コンデンサへの充電を行い、
かつ前記コンデンサ電圧検出手段からの検出情報に従って、
前記コンデンサへの充電を停止するとともに、
前記通知手段により前記穿刺するための前記コンデンサへの充電が完了したことを前記使用者に通知するよう構成した
ことを特徴とする体液成分測定用穿刺装置。
【請求項２】
体液成分測定のために皮膚に光を照射することによってその照射光で皮膚を穿刺し体液を得る体液成分測定用穿刺装置であって、
装置の外部から電源を供給する第１の電源供給部と、
前記第１の電源供給部に接続された充電手段と、
前記充電手段によって充電される二次電池で構成される装置駆動用の第２の電源供給部と、
前記第１の電源供給部もしくは前記第２の電源供給部に接続された第１の昇圧手段と、
前記第１の電源供給部および前記第２の電源供給部のうち前記第１の昇圧手段が接続されない側に接続された第２の昇圧手段と、
前記第２の電源供給部の容量が１回穿刺分を満たす所定の電圧閾値よりも高いことと、前記第２の電源供給部の容量が最低限システムが機能するために十分であることを検出する電池残量検出手段と、
前記照射光の発生電力を供給するために前記第１の電源供給部もしくは前記第２の電源供給部からの電荷を前記第１の昇圧手段もしくは前記第２の昇圧手段を通じて蓄電するコンデンサと、
前記コンデンサの電圧を検出するコンデンサ電圧検出手段と、
使用者に対して穿刺操作を補助するために装置の動作状態を通知する通知手段と、
前記電池残量検出手段および前記コンデンサ電圧検出手段からの各検出情報に基づいて、前記第１の昇圧手段、前記第２の昇圧手段および前記通知手段の動作を制御する制御手段とを備え、
前記制御手段は、
前記電池残量検出手段からの検出情報を基に行った、
前記第２の電源供給部の容量が前記所定の電圧閾値よりも低い状態であるかの判断、
および前記第２の電源供給部の容量が前記システムの機能のために十分な状態であるかの判断に応じて、
前記第１の昇圧手段もしくは前記第２の昇圧手段を選択し、
それらの選択した側を通じて前記第１の電源供給部もしくは前記第２の電源供給部の電力によって前記コンデンサへの充電を行い、
かつ前記コンデンサ電圧検出手段からの検出情報に従って、
前記コンデンサへの充電を停止するとともに、
前記通知手段により前記穿刺するための前記コンデンサへの充電が完了したことを前記使用者に通知するよう構成した
ことを特徴とする体液成分測定用穿刺装置。
【請求項３】
請求項１に記載の体液成分測定用穿刺装置において、前記コンデンサへの充電状態を使用者に通知する充電方法であって、
前記体液成分測定用穿刺装置を測定動作モードにするステップと、
前記電池残量検出手段により前記第２の電源供給部の容量残量を検知し、
１回穿刺分に不十分であれば前記切り替え手段を前記第１の方路へ回路を繋げ前記第１の電源供給部から前記昇圧手段を通じて前記コンデンサを充電し、
１回穿刺分に十分であれば前記切り替え手段を前記第２の方路へ回路を繋げ前記第２の電源供給部から前記昇圧手段を通じて前記コンデンサを充電するステップと、
前記コンデンサ電圧検出手段により前記コンデンサの電圧を検知し、
１回穿刺分に不十分であれば前記第１の電源供給部もしくは前記第２の電源供給部からの前記充電を続け、
１回穿刺分に十分であれば前記第１の電源供給部もしくは前記第２の電源供給部からの前記充電を停止するステップと、
前記コンデンサ電圧検出手段により前記コンデンサの電圧が１回穿刺分に十分であることを検知すると、前記通知手段により前記コンデンサへの充電完了を通知するステップとを有する
ことを特徴とする充電方法。
【請求項４】
請求項２に記載の体液成分測定用穿刺装置において、前記コンデンサへの充電状態を使用者に通知する充電方法であって、
前記体液成分測定用穿刺装置を測定動作モードにするステップと、
前記電池残量検出手段により前記第２の電源供給部の容量残量を検知し、１回穿刺分に十分であるかどうかによって前記コンデンサへの充電経路を決めるステップと、
前記充電経路を決めるステップで前記１回穿刺分に不十分と検知し前記第２の電源供給部から前記第１の昇圧手段を通じて前記コンデンサへの充電を開始した場合、
前記電池残量検出手段により前記第２の電源供給部の容量残量を検知し、
最低限システムが機能するために不十分であれば、前記第２の電源供給部から前記第１の昇圧手段を通じた前記コンデンサへの充電を停止して、前記第１の電源供給部から前記第２の昇圧手段を通じた前記コンデンサへの充電を開始し、
最低限システムが機能するために十分であれば、前記第２の電源供給部から前記第１の昇圧手段を通じた前記コンデンサへの充電を続けるステップと、
前記コンデンサ電圧検出手段により前記コンデンサの電圧を検知し、
１回穿刺分に不十分であれば前記第１の電源供給部もしくは前記第２の電源供給部からの前記充電を続け、
１回穿刺分に十分であれば前記第１の電源供給部もしくは前記第２の電源供給部からの前記充電を停止するステップと、
前記コンデンサ電圧検出手段により前記コンデンサの電圧が１回穿刺分に十分であることを検知すると、前記通知手段により前記コンデンサの充電完了を通知するステップとを有する
ことを特徴とする充電方法。
【請求項５】
請求項２に記載の体液成分測定用穿刺装置において、前記コンデンサへの充電状態を使用者に通知する充電方法であって、
前記体液成分測定用穿刺装置を測定動作モードにするステップと、
前記電池残量検出手段により前記第２の電源供給部の容量残量を検知し、１回穿刺分に十分であるかどうかによって前記コンデンサへの充電経路を決めるステップと、
前記充電経路を決めるステップで前記１回穿刺分に不十分と検知した場合、前記第２の電源供給部から第１の昇圧手段を通じて前記コンデンサを充電し、
この充電と並行して前記電池残量検出手段により前記第２の電源供給部の容量残量を検知し、
最低限システムが機能するために十分であれば前記第１の電源供給部から前記第２の昇圧手段を通じて前記コンデンサを充電し、
不十分であれば前記第１の電源供給部から前記第２の昇圧手段を通じた前記コンデンサへの充電を停止するステップと、
前記コンデンサ電圧検出手段により前記コンデンサの電圧を検知し、
１回穿刺分に不十分であれば前記第１の電源供給部もしくは前記第２の電源供給部からの前記充電を続け、
１回穿刺分に十分であれば前記第１の電源供給部もしくは前記第２の電源供給部からの前記充電を停止するステップと、
前記コンデンサ電圧検出手段により前記コンデンサの電圧が１回穿刺分に十分であることを検知すると、前記通知手段により前記コンデンサの充電完了を通知するステップとを有する
ことを特徴とする充電方法。
【発明の詳細な説明】
【技術分野】
【０００１】
本発明は、例えば人体等の体液成分測定のために皮膚に光を照射することによってその照射光で皮膚を穿刺し体液を得る体液成分測定用穿刺装置および充電方法に関するものである。
【背景技術】
【０００２】
従来から、例えば病院や診療所などの医療現場において、医療器具として体液成分測定装置により例えば人体等の体液（血液など）の成分測定を行う場合、その測定の際に皮膚を穿刺し体液を得るための体液成分測定用穿刺装置が使用されている。
【０００３】
以上のような従来の体液成分測定用穿刺装置について、図面を用いて以下に説明する。
図１は従来の体液成分測定用穿刺装置の構成を示すブロック図である。従来の体液成分測定用穿刺装置は、図１に示すように、体液成分測定装置（図示せず）による体液成分測定のために、レーザー発光用ランプＬＰ１からのレーザー発光によって、例えば人の指先ＹＢ１から体液（例えば、血液）を穿刺するレーザー穿刺部ＲＳ１を有している。この体液成分測定用穿刺装置におけるレーザー穿刺部ＲＳ１は、基本的に、レーザー発光用ランプＬＰ１と、ロッドＬＤ１と、レンズＬＺ１と、レーザービームＢＭ１とで構成されている。
【０００４】
図１において、体液成分測定用穿刺装置における通常の充電方法では、まず商用電源（例えば、ＡＣ１００ボルト）等のＡＣ電源（第１の電源供給部）ＡＤ１からＡＣアダプタ（第１の電源供給部）ＡＡ１を通じて充電回路ＪＤ１により二次電池（第２の電源供給部）ＮＤ１を充電し、その充電が完了すると、制御回路ＳＫ１が昇圧回路ＳＡ１を動作させ、二次電池ＮＤ１から昇圧回路ＳＡ１を通じてランプ駆動用コンデンサＱＣ１へ充電することにより蓄電する。この蓄電が十分に行われるとコンデンサ充電検出部（コンデンサ電圧検出手段）ＪＫ１によりランプ駆動用コンデンサＱＣ１への蓄電状態が検知され、この蓄電容量が１回穿刺分に十分足りるようになると、レーザー穿刺部ＲＳ１からのレーザー発光によって、例えば人の指先ＹＢ１から体液（例えば、血液）の穿刺ができる仕組みになっている。
【０００５】
そして、第２の電池残量検出部（電池残量検出手段）ＤＺ２１では、装置システムが最低限機能するために必要な電力が二次電池ＮＤ１に確保されているかを検出しているのみである。また、ある程度使用して二次電池ＮＤ１の容量が１回穿刺分未満になると、この二次電池ＮＤ１の容量が第１の電池残量検出部（電池残量検出手段）ＤＺ１１により検知され制御回路ＳＫ１の制御により穿刺することができなくなる。この後、再度穿刺する場合は、ＡＣ電源ＡＤ１からＡＣアダプタＡＡ１を通じて充電しなければならないが、１回だけ穿刺することができればよい場合でも、使用者は１回分穿刺使用可能になる充電時間が判断できないので、体液成分測定装置により迅速に体液成分測定をすることができない。
【０００６】
また、一般に出来るだけ早く穿刺が行えるように通常よりも充電電流を増やすことで二次電池の急速充電を行うことが可能だが、充電電流が多くなると発熱によって二次電池の寿命が短くなる問題があるため、このような使用は避けるべきである。
【０００７】
ここで、病院や診療所ではなく一般の家庭内で体液成分測定をする場合は、上記のような１回穿刺による使用形態が一般的であり、家庭内使用の利便性を追求すると、迅速な充電ができることと、１回だけ穿刺できる充電完了を使用者に通知する機能が必要となる。
【０００８】
また、特許文献１において、シェーバーや電動工具等の充電における１回使用表示機能が記載されているが、１回使用可能な表示がされているにも関わらず、実際には１回の使用に足りない充電量しか無いという状態を回避する技術であり、本発明の目的を解決するものではない。
【特許文献１】特開昭６１−１０２１３７号公報
【発明の開示】
【発明が解決しようとする課題】
【０００９】
しかしながら前述のような従来の体液成分測定用穿刺装置において、コンデンサ充電方式によるレーザー発光で穿刺して体液を採取するための充電方法では、ランプ駆動用コンデンサＱＣ１への蓄電が十分に行われるとコンデンサ充電検出部ＪＫ１により蓄電状態が検知され、レーザー発光によって穿刺ができる仕組みになっている。
【００１０】
そして、二次電池ＮＤ１が穿刺操作に使用できない充電残量においても、第２の電池残量検出部ＤＺ２１では装置システムが最低限機能するために必要な電力が二次電池ＮＤ１に確保されているかを検出しているのみであり、使用可能かどうかの判断はしていない。十分な充電状態から使用を繰り返して二次電池ＮＤ１の容量が１回穿刺分未満になると、レーザー発光による穿刺が全くできなくなる仕組みとなっている。
【００１１】
この後、再度穿刺する場合は、ＡＣ電源ＡＤ１からＡＣアダプタＡＡ１を通じて充電しなければならないが、病院や診療所ではなく一般の家庭内で体液成分を測定する場合のように、使用条件として１回分だけ穿刺することができればよい場合でも、使用者は１回分穿刺が使用可能になる充電時間が判断できないので、１回分穿刺による体液成分測定を迅速に行うことができないという問題点を有していた。
【００１２】
本発明は、上記従来の問題点を解決するもので、家庭用の医療用補助器具として、例えば体液成分測定装置による体液成分測定のために、皮膚を穿刺し体液を得る際に、使用者が１回分穿刺の場合に対して使用可能な充電状態を早期にかつ確実に知り得ることができ、１回分穿刺による体液成分測定を迅速に行うことができる体液成分測定用穿刺装置および充電方法を提供する。
【課題を解決するための手段】
【００１３】
上記の課題を解決するために、本発明の請求項１に記載の体液成分測定用穿刺装置は、体液成分測定のために皮膚に光を照射することによってその照射光で皮膚を穿刺し体液を得る体液成分測定用穿刺装置であって、装置の外部から電源を供給する第１の電源供給部と、前記第１の電源供給部の接続先を切り替える切り替え手段と、前記切り替え手段によって回路が繋がる第１の方路上の昇圧手段と、前記切り替え手段によって回路が繋がる第２の方路上の充電手段と、前記充電手段によって充電される二次電池で構成される装置駆動用の第２の電源供給部と、前記第２の電源供給部の容量が１回穿刺分を満たす所定の電圧閾値よりも高いことを検出する電池残量検出手段と、前記照射光の発生電力を供給するために前記切り替え手段の接続状態によって前記第１の電源供給部もしくは前記第２の電源供給部からの電荷を前記昇圧手段を通じて蓄電するコンデンサと、前記コンデンサの電圧を検出するコンデンサ電圧検出手段と、使用者に対して穿刺操作を補助するために装置の動作状態を通知する通知手段と、前記電池残量検出手段および前記コンデンサ電圧検出手段からの各検出情報に基づいて、前記切り替え手段、前記昇圧手段および前記通知手段の動作を制御する制御手段とを備え、前記制御手段は、前記電池残量検出手段からの検出情報を基に前記第２の電源供給部の容量が前記所定の電圧閾値よりも低い状態であると判断した場合には、前記切り替え手段によって前記第１の電源供給部と前記昇圧手段を接続し、前記第１の電源供給部の電力によって前記コンデンサへの充電を行い、かつ前記コンデンサ電圧検出手段からの検出情報に従って、前記コンデンサへの充電を停止するとともに、前記通知手段により前記穿刺するための前記コンデンサへの充電が完了したことを前記使用者に通知するよう構成したことを特徴とする。
【００１４】
また、本発明の請求項２に記載の体液成分測定用穿刺装置は、体液成分測定のために皮膚に光を照射することによってその照射光で皮膚を穿刺し体液を得る体液成分測定用穿刺装置であって、装置の外部から電源を供給する第１の電源供給部と、前記第１の電源供給部に接続された充電手段と、前記充電手段によって充電される二次電池で構成される装置駆動用の第２の電源供給部と、前記第１の電源供給部もしくは前記第２の電源供給部に接続された第１の昇圧手段と、前記第１の電源供給部および前記第２の電源供給部のうち前記第１の昇圧手段が接続されない側に接続された第２の昇圧手段と、前記第２の電源供給部の容量が１回穿刺分を満たす所定の電圧閾値よりも高いことと、前記第２の電源供給部の容量が最低限システムが機能するために十分であることを検出する電池残量検出手段と、前記照射光の発生電力を供給するために前記第１の電源供給部もしくは前記第２の電源供給部からの電荷を前記第１の昇圧手段もしくは前記第２の昇圧手段を通じて蓄電するコンデンサと、前記コンデンサの電圧を検出するコンデンサ電圧検出手段と、使用者に対して穿刺操作を補助するために装置の動作状態を通知する通知手段と、前記電池残量検出手段および前記コンデンサ電圧検出手段からの各検出情報に基づいて、前記第１の昇圧手段、前記第２の昇圧手段および前記通知手段の動作を制御する制御手段とを備え、前記制御手段は、前記電池残量検出手段からの検出情報を基に行った、前記第２の電源供給部の容量が前記所定の電圧閾値よりも低い状態であるかの判断、および前記第２の電源供給部の容量が前記システムの機能のために十分な状態であるかの判断に応じて、前記第１の昇圧手段もしくは前記第２の昇圧手段を選択し、それらの選択した側を通じて前記第１の電源供給部もしくは前記第２の電源供給部の電力によって前記コンデンサへの充電を行い、かつ前記コンデンサ電圧検出手段からの検出情報に従って、前記コンデンサへの充電を停止するとともに、前記通知手段により前記穿刺するための前記コンデンサへの充電が完了したことを前記使用者に通知するよう構成したことを特徴とする。
【００１５】
また、本発明の請求項３に記載の充電方法は、請求項１に記載の体液成分測定用穿刺装置において、前記コンデンサへの充電状態を使用者に通知する充電方法であって、前記体液成分測定用穿刺装置を測定動作モードにするステップと、前記電池残量検出手段により前記第２の電源供給部の容量残量を検知し、１回穿刺分に不十分であれば前記切り替え手段を前記第１の方路へ回路を繋げ前記第１の電源供給部から前記昇圧手段を通じて前記コンデンサを充電し、１回穿刺分に十分であれば前記切り替え手段を前記第２の方路へ回路を繋げ前記第２の電源供給部から前記昇圧手段を通じて前記コンデンサを充電するステップと、前記コンデンサ電圧検出手段により前記コンデンサの電圧を検知し、１回穿刺分に不十分であれば前記第１の電源供給部もしくは前記第２の電源供給部からの前記充電を続け、１回穿刺分に十分であれば前記第１の電源供給部もしくは前記第２の電源供給部からの前記充電を停止するステップと、前記コンデンサ電圧検出手段により前記コンデンサの電圧が１回穿刺分に十分であることを検知すると、前記通知手段により前記コンデンサへの充電完了を通知するステップとを有することを特徴とする。
【００１６】
また、本発明の請求項４に記載の充電方法は、請求項２に記載の体液成分測定用穿刺装置において、前記コンデンサへの充電状態を使用者に通知する充電方法であって、前記体液成分測定用穿刺装置を測定動作モードにするステップと、前記電池残量検出手段により前記第２の電源供給部の容量残量を検知し、１回穿刺分に十分であるかどうかによって前記コンデンサへの充電経路を決めるステップと、前記充電経路を決めるステップで前記１回穿刺分に不十分と検知し前記第２の電源供給部から前記第１の昇圧手段を通じて前記コンデンサへの充電を開始した場合、前記電池残量検出手段により前記第２の電源供給部の容量残量を検知し、最低限システムが機能するために不十分であれば、前記第２の電源供給部から前記第１の昇圧手段を通じた前記コンデンサへの充電を停止して、前記第１の電源供給部から前記第２の昇圧手段を通じた前記コンデンサへの充電を開始し、最低限システムが機能するために十分であれば、前記第２の電源供給部から前記第１の昇圧手段を通じた前記コンデンサへの充電を続けるステップと、前記コンデンサ電圧検出手段により前記コンデンサの電圧を検知し、１回穿刺分に不十分であれば前記第１の電源供給部もしくは前記第２の電源供給部からの前記充電を続け、１回穿刺分に十分であれば前記第１の電源供給部もしくは前記第２の電源供給部からの前記充電を停止するステップと、前記コンデンサ電圧検出手段により前記コンデンサの電圧が１回穿刺分に十分であることを検知すると、前記通知手段により前記コンデンサの充電完了を通知するステップとを有することを特徴とする。
【００１７】
また、本発明の請求項５に記載の充電方法は、請求項２に記載の体液成分測定用穿刺装置において、前記コンデンサへの充電状態を使用者に通知する充電方法であって、前記体液成分測定用穿刺装置を測定動作モードにするステップと、前記電池残量検出手段により前記第２の電源供給部の容量残量を検知し、１回穿刺分に十分であるかどうかによって前記コンデンサへの充電経路を決めるステップと、前記充電経路を決めるステップで前記１回穿刺分に不十分と検知した場合、前記第２の電源供給部から第１の昇圧手段を通じて前記コンデンサを充電し、この充電と並行して前記電池残量検出手段により前記第２の電源供給部の容量残量を検知し、最低限システムが機能するために十分であれば前記第１の電源供給部から前記第２の昇圧手段を通じて前記コンデンサを充電し、不十分であれば前記第１の電源供給部から前記第２の昇圧手段を通じた前記コンデンサへの充電を停止するステップと、前記コンデンサ電圧検出手段により前記コンデンサの電圧を検知し、１回穿刺分に不十分であれば前記第１の電源供給部もしくは前記第２の電源供給部からの前記充電を続け、１回穿刺分に十分であれば前記第１の電源供給部もしくは前記第２の電源供給部からの前記充電を停止するステップと、前記コンデンサ電圧検出手段により前記コンデンサの電圧が１回穿刺分に十分であることを検知すると、前記通知手段により前記コンデンサの充電完了を通知するステップとを有することを特徴とする。
【発明の効果】
【００１８】
本発明によれば、例えば人体等の体液成分測定のために、皮膚に光を照射してその照射光で皮膚を１回分穿刺し体液を得るのに最低限必要かつ十分な電圧に対して、二次電池の寿命を縮めることなくその充電をより早く完了させることができると同時に、その充電完了を正確に使用者へ知らせることができる。
【００１９】
そのため、家庭用の医療用補助器具として、例えば体液成分測定装置による体液成分測定のために、皮膚を穿刺し体液を得る際に、使用者が１回分穿刺の場合に対して使用可能な充電状態を早期にかつ確実に知り得ることができ、１回分穿刺による体液成分測定を迅速に行うことができる。
【発明を実施するための最良の形態】
【００２０】
以下、本発明の実施の形態を示す体液成分測定用穿刺装置および充電方法について、図面を参照しながら具体的に説明する。
（実施の形態１）
本発明の実施の形態１の体液成分測定用穿刺装置および充電方法を説明する。
【００２１】
図２は本実施の形態１の体液成分測定用穿刺装置の構成を示すブロック図である。図２に示すように、この体液成分測定用穿刺装置は、体液成分測定装置（図示せず）による体液成分測定のために、レーザー発光用ランプＬＰ１からのレーザー発光によって、例えば人の指先ＹＢ１から体液（例えば、血液）を穿刺するレーザー穿刺部ＲＳ１を有している。なお、この体液成分測定用穿刺装置におけるレーザー発光用ランプＬＰ１、ロッドＬＤ１、レンズＬＺ１、レーザービームＢＭ１からなるレーザー穿刺部ＲＳ１については、図１に示す従来技術におけるレーザー穿刺部ＲＳ１と同一の構成であるので、ここでの説明は省略する。
【００２２】
図２において、ＡＤ２は電源供給源である商用交流電源（例えば、ＡＣ１００ボルト）等のＡＣ電源（第１の電源供給部）、ＡＡ２はＡＣ電源ＡＤ２の交流（ＡＣ）電圧を本装置に適した直流（ＤＣ）電圧に変換するＡＣアダプタ（第１の電源供給部）、ＳＴ２はＡＣアダプタＡＡ２からの電源の供給先を切り替える切り替え手段としてのスイッチ、ＳＡ２はスイッチＳＴ２によって回路が繋がる第１の方路上の昇圧回路、ＪＤ２はスイッチＳＴ２によって回路が繋がる第２の方路上の充電回路、ＮＤ２は充電回路ＪＤ２によって充電される二次電池（第２の電源供給部）、ＤＺ１２は二次電池ＮＤ２の容量が１回穿刺分に不足していることを検出する第１の電池残量検出部（電池残量検出手段）、ＤＺ２２は二次電池ＮＤ２の容量が最低限システムが機能するために十分であることを検出する第２の電池残量検出部（電池残量検出手段）、ＱＣ２はレーザー発光用ランプＬＰ１に接続されレーザー光の発光電力を発生するためにＡＣ電源ＡＤ２あるいは二次電池ＮＤ２からの電荷を昇圧回路ＳＡ２を通じて蓄電するランプ駆動用コンデンサ、ＪＫ２はランプ駆動用コンデンサＱＣ２の蓄電容量が穿刺するために足りていることを検知するコンデンサ充電検出部（コンデンサ電圧検出手段）、ＴＴ２は使用者に対して穿刺操作を補助するために装置の動作状態を通知する例えばＬＥＤなどによる表示機能を有する通知部、ＳＫ２は第１の電池残量検出部ＤＺ１２と第２の電池残量検出部ＤＺ２２とコンデンサ充電検出部ＪＫ２からの各検出情報に基づいて、スイッチＳＴ２、昇圧回路ＳＡ２および通知部ＴＴ２の動作を制御する制御回路、ＤＧ２は制御回路ＳＫ２に対してその駆動のために一定のＤＣ電圧を供給する電源である。
【００２３】
上記のように構成された体液成分測定用穿刺装置において、その充電方法を以下に説明する。
図４は本実施の形態１の体液成分測定用穿刺装置における充電方法を示すフロー図である。図４に示すように、まず、体液成分測定用穿刺装置を測定動作モードにし（ステップＳ４００）、第２の電池残量検出部ＤＺ２２により二次電池ＮＤ２の残量を検知し（ステップＳ４０１）、最低限システムが機能するために十分になるまで、スイッチＳＴ２を第２の方路（ＳＷ２側）へ回路を繋げることによりＡＣ電源ＡＤ２からＡＣアダプタＡＡ２を通じて充電回路ＪＤ２により二次電池ＮＤ２を充電する（ステップＳ４０９）。
【００２４】
次に、第１の電池残量検出部ＤＺ１２により二次電池ＮＤ２の残量を検知し（ステップＳ４０２）、１回穿刺分に不十分であればスイッチＳＴ２を第１の方路（ＳＷ１側）へ回路を繋げ（ステップＳ４１０）ＡＣ電源ＡＤ２からＡＣアダプタＡＡ２を通じて昇圧回路ＳＡ２によりランプ駆動用コンデンサＱＣ２を充電し（ステップＳ４０４）、１回穿刺分に十分であればスイッチＳＴ２を第２の方路（ＳＷ２側）へ回路を繋げ（ステップＳ４０３）二次電池ＮＤ２から昇圧回路ＳＡ２を通じてランプ駆動用コンデンサＱＣ２を充電する（ステップＳ４０４）。
【００２５】
次に、コンデンサ充電検出部ＪＫ２によりランプ駆動用コンデンサＱＣ２の蓄電容量を検知し（ステップＳ４０５）、１回穿刺分に不十分であれば上記のＡＣ電源ＡＤ２あるいは二次電池ＮＤ２からの充電を続け（ステップＳ４０４）、１回穿刺分に十分であればスイッチＳＴ２を開放することにより上記のＡＣ電源ＡＤ２あるいは二次電池ＮＤからの充電を停止する（ステップＳ４０６）。
【００２６】
そして、コンデンサ充電検出部ＪＫ２によりランプ駆動用コンデンサＱＣ２の蓄電容量が１回穿刺分に十分であることを検知すると、通知部ＴＴ２により使用者に対してランプ駆動用コンデンサＱＣ２の充電完了をＬＥＤ表示等により通知し（ステップＳ４０７）、ランプ駆動用コンデンサＱＣ２への充電動作を終了する（ステップＳ４０８）。
（実施の形態２）
本発明の実施の形態２の体液成分測定用穿刺装置および充電方法を説明する。
【００２７】
図３は本実施の形態２の体液成分測定用穿刺装置の構成を示すブロック図であり、図３（ａ）と図３（ｂ）とでは、第１の昇圧回路および第２の昇圧回路の配置が異なっている。図３に示すように、この体液成分測定用穿刺装置は、体液成分測定装置（図示せず）による体液成分測定のために、レーザー発光用ランプＬＰ１からのレーザー発光によって、例えば人の指先ＹＢ１から体液（例えば、血液）を穿刺するレーザー穿刺部ＲＳ１を有している。なお、この体液成分測定用穿刺装置におけるレーザー発光用ランプＬＰ１、ロッドＬＤ１、レンズＬＺ１、レーザービームＢＭ１からなるレーザー穿刺部ＲＳ１については、図１に示す従来技術におけるレーザー穿刺部ＲＳ１と同一の構成であるので、ここでの説明は省略する。
【００２８】
図３（ａ）において、ＡＤ３は電源供給源である商用交流電源（例えば、ＡＣ１００ボルト）等のＡＣ電源（第１の電源供給部）、ＡＡ３はＡＣ電源ＡＤ３の交流（ＡＣ）電圧を本装置に適した直流（ＤＣ）電圧に変換するＡＣアダプタ（第１の電源供給部）、ＪＤ３はＡＣアダプタＡＡ３を通じてＡＣ電源ＡＤ３に接続された充電回路、ＮＤ３は充電回路ＪＤ３によって充電される二次電池（第２の電源供給部）、ＳＡ１３は二次電池ＮＤ３に接続された第１の昇圧回路、ＳＡ２３はＡＣアダプタＡＡ３を通じてＡＣ電源ＡＤ３に接続された第２の昇圧回路、ＤＺ１３は二次電池ＮＤ３の容量が１回穿刺分に不足していることを検出する第１の電池残量検出部（電池残量検出手段）、ＤＺ２３は二次電池ＮＤ３の容量が最低限システムが機能するために十分であることを検出する第２の電池残量検出部（電池残量検出手段）、ＱＣ３はレーザー発光用ランプＬＰ１に接続されレーザー光の発光電力を発生するためにＡＣ電源ＡＤ３あるいは二次電池ＮＤ３からの電荷を第１の昇圧回路ＳＡ１３あるいは第２の昇圧回路ＳＡ２３を通じて蓄電するランプ駆動用コンデンサ、ＪＫ３はランプ駆動用コンデンサＱＣ３の蓄電容量が穿刺するために足りていることを検知するコンデンサ充電検出部（コンデンサ電圧検出手段）、ＴＴ３は使用者に対して穿刺操作を補助するために装置の動作状態を通知する例えばＬＥＤなどによる表示機能を有する通知部、ＳＫ３は第１の電池残量検出部ＤＺ１３と第２の電池残量検出部ＤＺ２３とコンデンサ充電検出部ＪＫ３からの各検出情報に基づいて、第１の昇圧回路ＳＡ１３、第２の昇圧回路ＳＡ２３および通知部ＴＴ３の動作を制御する制御回路、ＤＧ３は制御回路ＳＫ３に対してその駆動のために一定のＤＣ電圧を供給する電源である。
【００２９】
また、図３（ｂ）においては、図３（ａ）に対して、第１の昇圧回路ＳＡ１３および第２の昇圧回路ＳＡ２３の配置が入れ替わっているだけで、その他の構成については、同一であるので図３（ｂ）の構成説明は省略する。
【００３０】
上記のように構成された体液成分測定用穿刺装置における充電方法について、シーケンシャル制御の場合を以下に説明する。
図５は本実施の形態２の体液成分測定用穿刺装置（図３（ａ））における充電方法でシーケンシャル制御の場合を示すフロー図である。図５に示すように、まず、体液成分測定用穿刺装置を測定動作モードにし（ステップＳ５００）、第２の電池残量検出部ＤＺ２３により二次電池ＮＤ３の残量を検知し（ステップＳ５０１）、最低限システムが機能するために十分になるまで、ＡＣ電源ＡＤ３からＡＣアダプタＡＡ３を通じて充電回路ＪＤ３により二次電池ＮＤ３を充電する（ステップＳ５０８）。
【００３１】
次に、第１の電池残量検出部ＤＺ１３により二次電池ＮＤ３の残量を検知し（ステップＳ５０２）、１回穿刺分に十分であるかどうかによってランプ駆動用コンデンサＱＣ３への充電経路を決め、その結果、二次電池ＮＤ３の残量が１回穿刺分に十分と検知して二次電池ＮＤ３から第１の昇圧回路ＳＡ１３を通じてランプ駆動用コンデンサＱＣ３への充電を開始した場合は（ステップＳ５０３）、コンデンサ充電検出部ＪＫ３によりランプ駆動用コンデンサＱＣ３の蓄電容量を検知し（ステップＳ５０４）、１回穿刺分に不十分であれば上記の二次電池ＮＤ３からの第１の昇圧回路ＳＡ１３を通じた充電を続け（ステップＳ５０３）、１回穿刺分に十分となれば上記の二次電池ＮＤ３からの第１の昇圧回路ＳＡ１３を通じた充電を停止する（ステップＳ５０５）。
【００３２】
一方、二次電池ＮＤ３の残量が１回穿刺分に不十分と検知して二次電池ＮＤ３から第１の昇圧回路ＳＡ１３を通じてランプ駆動用コンデンサＱＣ３への充電を開始した場合は（ステップＳ５０９）、第２の電池残量検出部ＤＺ２３により二次電池ＮＤ３の残量を検知し（ステップＳ５１０）、最低限システムが機能するために不十分であれば、二次電池ＮＤ３から第１の昇圧回路ＳＡ１３を通じたランプ駆動用コンデンサＱＣ３への充電を停止して（ステップＳ５１１）、ＡＣ電源ＡＤ３からＡＣアダプタＡＡ３を通じた第２の昇圧回路ＳＡ２３によるランプ駆動用コンデンサＱＣ３への充電を開始し（ステップＳ５１２）、最低限システムが機能するために十分であれば（ステップＳ５１０）、二次電池ＮＤ３から第１の昇圧回路ＳＡ１３を通じたランプ駆動用コンデンサＱＣ３への充電を続ける（ステップＳ５０９）。
【００３３】
次に、コンデンサ充電検出部ＪＫ３によりランプ駆動用コンデンサＱＣ３の蓄電容量を検知し（ステップＳ５１３）、１回穿刺分に不十分であれば上記のＡＣ電源ＡＤ３からＡＣアダプタＡＡ３を通じた第２の昇圧回路ＳＡ２３による充電を続け（ステップＳ５１２）、１回穿刺分に十分となれば上記のＡＣ電源ＡＤ３からＡＣアダプタＡＡ３を通じた第２の昇圧回路ＳＡ２３による充電を停止する（ステップＳ５１４）。
【００３４】
そして、通知部ＴＴ３により使用者に対してランプ駆動用コンデンサＱＣ３の充電完了をＬＥＤ表示等により通知し（ステップＳ５０６）、ランプ駆動用コンデンサＱＣ３への充電動作を終了する（ステップＳ５０７）。
【００３５】
上記のように構成された体液成分測定用穿刺装置における充電方法について、ダブル制御（１）の場合を以下に説明する。
図６は本実施の形態２の体液成分測定用穿刺装置（図３（ａ））における充電方法でダブル制御（１）の場合を示すフロー図である。図６に示すように、まず、体液成分測定用穿刺装置を測定動作モードにし（ステップＳ７００）、第２の電池残量検出部ＤＺ２３により二次電池ＮＤ３の残量を検知し（ステップＳ７０１）、最低限システムが機能するために十分になるまで、ＡＣ電源ＡＤ３からＡＣアダプタＡＡ３を通じて充電回路ＪＤ３により二次電池ＮＤ３を充電する（ステップＳ７０８）。
【００３６】
次に、第１の電池残量検出部ＤＺ１３により二次電池ＮＤ３の残量を検知し（ステップＳ７０２）、１回穿刺分に十分であるかどうかによってランプ駆動用コンデンサＱＣ３への充電経路を決め、その結果、二次電池ＮＤ３の残量が１回穿刺分に十分と検知したがＡＣ電源ＡＤ３からＡＣアダプタＡＡ３を通じて第２の昇圧回路ＳＡ２３によりランプ駆動用コンデンサＱＣ３への充電を開始した場合は（ステップＳ７０３）、コンデンサ充電検出部ＪＫ３によりランプ駆動用コンデンサＱＣ３の蓄電容量を検知し（ステップＳ７０４）、１回穿刺分に不十分であれば上記のＡＣ電源ＡＤ３からの第２の昇圧回路ＳＡ２３を通じた充電を続け（ステップＳ７０３）、１回穿刺分に十分となれば上記のＡＣ電源ＡＤ３からの第２の昇圧回路ＳＡ２３を通じた充電を停止する（ステップＳ７０５）。
【００３７】
一方、二次電池ＮＤ３の残量が１回穿刺分に不十分と検知した場合は、二次電池ＮＤ３から第１の昇圧回路ＳＡ１３を通じてランプ駆動用コンデンサＱＣ３を充電し（ステップＳ７０９）、この充電と並行して第２の電池残量検出部ＤＺ２３により二次電池ＮＤ３の残量を検知し（ステップＳ７１０）、最低限システムが機能するために十分であればＡＣ電源ＡＤ３から第２の昇圧回路ＳＡ２３を通じてランプ駆動用コンデンサＱＣ３を充電し（ステップＳ７１１）、不十分であればＡＣ電源ＡＤ３から第２の昇圧回路ＳＡ２３を通じたランプ駆動用コンデンサＱＣ３への充電を停止する（ステップＳ７１２）。
【００３８】
次に、コンデンサ充電検出部ＪＫ３によりランプ駆動用コンデンサＱＣ３の蓄電容量を検知し（ステップＳ７１３）、１回穿刺分に不十分であれば上記のＡＣ電源ＡＤ３および二次電池ＮＤ３からの充電を続け（ステップＳ７０９、７１１）、１回穿刺分に十分となれば上記のＡＣ電源ＡＤ３および二次電池ＮＤ３からの充電を停止する（ステップＳ７１４、７１５）。
【００３９】
そして、通知部ＴＴ３により使用者に対してランプ駆動用コンデンサＱＣ３の充電完了をＬＥＤ表示等により通知し（ステップＳ７０６）、ランプ駆動用コンデンサＱＣ３への充電動作を終了する（ステップＳ７０７）。
【００４０】
上記のように構成された体液成分測定用穿刺装置における充電方法について、ダブル制御（２）の場合を以下に説明する。
図７は本実施の形態２の体液成分測定用穿刺装置（図３（ｂ））における充電方法でダブル制御（２）の場合を示すフロー図である。この場合の充電方法は、図７に示すように、図３（ａ）と図３（ｂ）に示す構成間で第１の昇圧回路ＳＡ１３および第２の昇圧回路ＳＡ２３の配置を入れ替えているのに従って、図６に示すフロー図における第１の昇圧回路ＳＡ１３および第２の昇圧回路ＳＡ２３の動作（ステップＳ６０３、６０５、６０９、６１１、６１２、６１４、６１５）を入れ替えたものであり、その他の動作は同じ流れになっており、基本的には、図６に示す動作と同じものである。
【００４１】
以上のように、本実施の形態によれば、例えば人体等の体液成分測定のために、レーザー発光によって皮膚を１回分穿刺し体液を得るのに最低限必要かつ十分な電圧に対して、その充電をより早く完了させることができると同時に、その充電完了を正確に使用者へ知らせることができる。
【００４２】
それにより、家庭用の医療用補助器具として、例えば体液成分測定装置による体液成分測定のために、皮膚を穿刺し体液を得る際に、使用者が１回分穿刺の場合に対して使用可能な充電状態を早期にかつ確実に知り得ることができ、１回分穿刺による体液成分測定を迅速に行うことができる。
【００４３】
なお、上記の各実施の形態では、人体等の体液成分測定のために皮膚を穿刺し体液を得る体液成分測定用穿刺装置として、昇圧蓄電によりコンデンサに高電圧を発生させる充電装置が組み込まれている場合を説明したが、この高電圧発生用充電装置は、例えばカメラ撮影用のストロボ装置等のように、閃光発光用など短時間に高電圧エネルギーの必要な機器にも使用することができる。
【産業上の利用可能性】
【００４４】
本発明の体液成分測定用穿刺装置および充電方法は、家庭用の医療用補助器具として、例えば体液成分測定装置による体液成分測定のために、皮膚を穿刺し体液を得る際に、使用者が１回分穿刺の場合に対して使用可能な充電状態を早期にかつ確実に知り得ることができ、１回分穿刺による体液成分測定を迅速に行うことができるもので、例えば体液成分測定装置と組み合わせて併用する穿刺装置に有用であり、また、この穿刺装置に組み込まれている充電装置は、例えばカメラ撮影用のストロボ装置等のように、閃光発光用など短時間に高電圧エネルギーの必要な機器への利用にも適用できる。
【図面の簡単な説明】
【００４５】
【図１】従来の体液成分測定用穿刺装置の構成を示すブロック図
【図２】本発明の実施の形態１の体液成分測定用穿刺装置の構成を示すブロック図
【図３】本発明の実施の形態２の体液成分測定用穿刺装置の構成を示すブロック図
【図４】本発明の実施の形態１の体液成分測定用穿刺装置における充電方法を示すフロー図
【図５】本発明の実施の形態２の体液成分測定用穿刺装置における充電方法でシーケンシャル制御の場合を示すフロー図
【図６】同実施の形態２の体液成分測定用穿刺装置における充電方法でダブル制御（１）の場合を示すフロー図
【図７】同実施の形態２の体液成分測定用穿刺装置における充電方法でダブル制御（２）の場合を示すフロー図
【符号の説明】
【００４６】
ＡＤ１、ＡＤ２、ＡＤ３    ＡＣ電源（第１の電源供給部）
ＡＡ１、ＡＡ２、ＡＡ３    ＡＣアダプタ（第１の電源供給部）
ＪＤ１、ＪＤ２、ＪＤ３    充電回路
ＮＤ１、ＮＤ２、ＮＤ３    二次電池（第２の電源供給部）
ＤＧ１、ＤＧ２、ＤＧ３    電源
ＳＡ１、ＳＡ２、    昇圧回路
ＳＡ１３    第１の昇圧回路
ＳＡ２３    第２の昇圧回路
ＲＳ１    レーザー穿刺部
ＬＰ１    ランプ
ＬＤ１    ロッド
ＬＺ１    レンズ
ＢＭ１    レーザービーム
ＹＢ１    指先
ＱＣ１、ＱＣ２、ＱＣ３    ランプ駆動用コンデンサ
ＪＫ１、ＪＫ２、ＪＫ３    コンデンサ充電検出部（コンデンサ電圧検出手段）
ＳＫ１、ＳＫ２、ＳＫ３    制御回路
ＴＴ１、ＴＴ２、ＴＴ３    通知部
ＤＺ２１、ＤＺ２２、ＤＺ２３    第２の電池残量検出部（電池残量検出手段）
ＤＺ１１、ＤＺ１２、ＤＺ１３    第１の電池残量検出部（電池残量検出手段）
ＳＴ２    スイッチ（ＳＷ）（切り替え手段）
【図１】
2010017265.tif 000003
【図２】
2010017265.tif 000004
【図３】
2010017265.tif 000005
【図４】
2010017265.tif 000006
【図５】
2010017265.tif 000007
【図６】
2010017265.tif 000008
【図７】
2010017265.tif 000009